(57)【要約】【課題】  表面処理した金属面板に発光装置が組み合わされてなり、オートバイ両側の長形フットボードの表面に取り付けられ、フットボードの保護と装飾機能を提供するフットボードカバーの提供。【解決手段】  オートバイ車体のフットボードの形状に符合するよう加圧加工された薄型金属板の表面に、滑り止めと装飾効果を有する凹凸状の模様が形成され、並びに適当な位置に穿孔が設けられ、並びに発光装置が嵌め付けられ、側投光の屈折を利用して特有の文字或いは図形を表示することができるものとされる。【選択図】        図２
0003108944.tif 000002
【実用新案登録請求の範囲】
【請求項１】
金属フットボードカバーと発光装置で構成されたオートバイのフットボードカバーであり、該金属フットボードカバーはオートバイの両側のフットボードの辺縁形状及び折り曲げ形状に合わせて加圧加工され、並びに所定位置に結合孔が設けられ、該結合孔に通されたネジにより、該金属フットボードカバーがフットボードに固定され、金属フットボードカバーの平坦部分に、貫通孔が設けられ、一組の発光装置が嵌め付けられ、該発光装置はＬＥＤで一片の透明板の側辺部分より光を投射し、透明板底部の凹凸紋路の屈折により、発光するパターン或いは文字を発生する、オートバイのフットボードカバーにおいて、
金属フットボードカバーの表面に、凹凸パターンが設けられ、並びに金属フットボードカバーの表面にパターンが表面処理されて、凹凸により分けられたシルバーフロストエリアと白光沢エリアが形成され、
発光装置は、透明板、ランプセット、電源線、パターンカラー板、及び防水バックカバー、防水リングを具え、該発光装置が貫通孔に嵌め込まれ並びにオートバイの車用電源が接続、導通された後、透明板がランプセットの投光により、その特有の文字或いはパターンを表示することを特徴とする、オートバイのフットボードカバー。
【請求項２】
請求項１記載のオートバイのフットボードカバーにおいて、発光装置の周囲には厚さが薄いリムが設けられ、透明板の底部に底部凹溝で構成された特有のパターン或いは文字が設けられ、透明板の一側には凹溝が形成されてストリップ状のランプセットが嵌め込まれ、該ランプセットは複数のＬＥＤが１本の基板に組合わされてなり、電源線は基板より透明板外部に延伸されて車用電源に接続され、該発光装置は接着テープ或いはその他の粘着方式で金属フットボードカバーの底面の貫通孔の周囲に固定されることを特徴とする、オートバイのフットボードカバー。
【請求項３】
請求項１記載のオートバイのフットボードカバーにおいて、透明板の周囲と防水バックカバーの内側の間に、軟質ゴムで構成された防水リングが介装されたことを特徴とする、オートバイのフットボードカバー。
【請求項４】
請求項１記載のオートバイのフットボードカバーにおいて、透明板の底部と防水バックカバーの間にパターンカラー板が介装され、該パターンカラー板が特有のパターン或いは文字により印刷された薄板であり、並びに底部凹溝形状に対応し重畳されることを特徴とする、オートバイのフットボードカバー。
【請求項５】
請求項１記載のオートバイのフットボードカバーにおいて、発光装置が冷陰極管等のストライプ状発光体とされたことを特徴とする、オートバイのフットボードカバー。
【考案の詳細な説明】
【技術分野】
【０００１】
本考案は一種のオートバイのフットボードカバーに係り、特に、表面処理した金属面板に発光装置が組み合わされてなり、オートバイ両側の長形フットボードの表面に取り付けられ、フットボードの保護と装飾機能を提供するフットボードカバーであり、オートバイ車体のフットボードの形状に符合するよう加圧加工された薄型金属板の表面に、滑り止めと装飾効果を有する凹凸状の模様が形成され、並びに適当な位置に穿孔が設けられ、並びに発光装置が嵌め付けられ、側投光の屈折を利用して特有の文字或いは図形を表示することができるものに関する。
【背景技術】
【０００２】
オートバイは便利な交通工具であるが、重型オートバイは単純な交通用途だけでなく、特殊なレジャー用途、例えば公道を走り長期旅行に出かけたり、性能や外観を改造して異なる特色を現出させたりするのに用いられる。このような使用者グループは米国及び日本では極めて一般的であり、またオートバイの性能方面或いは外観装飾方面の改造と製造メーカーは相互に刺激し、不断に改良を行なっている。通常、このようなオートバイは外観上、パーソナライズされた装飾を有する。図１は重型のオートバイの外観を示し、オートバイ使用者は通常オートバイＡの両側のフットボードＡ１に滑り止めの金属板Ａ２を取り付け、滑り止め、保護及び装飾作用を具備させている。このような滑り止め金属板は表面に規則的な凹凸紋路を具え、オートバイのフットボードに符合する外形と折り曲げ角度に裁断された後に、オートバイのフットボードに螺子止めされて、上述の機能を達成する。
【考案の開示】
【考案が解決しようとする課題】
【０００３】
しかし、上述の周知のオートバイのフットボードカバーはもとのフットボードを保護し滑り止めの機能を具備するが、簡単で規則的な凹凸紋路は装飾効果に欠け、且つ個性的或いはプロフェッショナルな設計ではないため、オートバイライダーの好みを満足させにくい。本考案はこのような周知のオートバイのフットボードカバーの欠点を解決するために提供される。
【課題を解決するための手段】
【０００４】
請求項１の考案は、金属フットボードカバーと発光装置で構成されたオートバイのフットボードカバーであり、該金属フットボードカバーはオートバイの両側のフットボードの辺縁形状及び折り曲げ形状に合わせて加圧加工され、並びに所定位置に結合孔が設けられ、該結合孔に通されたネジにより、該金属フットボードカバーがフットボードに固定され、金属フットボードカバーの平坦部分に、貫通孔が設けられ、一組の発光装置が嵌め付けられ、該発光装置はＬＥＤで一片の透明板の側辺部分より光を投射し、透明板底部の凹凸紋路の屈折により、発光するパターン或いは文字を発生する、オートバイのフットボードカバーにおいて、
金属フットボードカバーの表面に、凹凸パターンが設けられ、並びに金属フットボードカバーの表面にパターンが表面処理されて、凹凸により分けられたシルバーフロストエリアと白光沢エリアが形成され、
発光装置は、透明板、ランプセット、電源線、パターンカラー板、及び防水バックカバー、防水リングを具え、該発光装置が貫通孔に嵌め込まれ並びにオートバイの車用電源が接続、導通された後、透明板がランプセットの投光により、その特有の文字或いはパターンを表示することを特徴とする、オートバイのフットボードカバーとしている。
請求項２の考案は、請求項１記載のオートバイのフットボードカバーにおいて、発光装置の周囲には厚さが薄いリムが設けられ、透明板の底部に底部凹溝で構成された特有のパターン或いは文字が設けられ、透明板の一側には凹溝が形成されてストリップ状のランプセットが嵌め込まれ、該ランプセットは複数のＬＥＤが１本の基板に組合わされてなり、電源線は基板より透明板外部に延伸されて車用電源に接続され、該発光装置は接着テープ或いはその他の粘着方式で金属フットボードカバーの底面の貫通孔の周囲に固定されることを特徴とする、オートバイのフットボードカバーとしている。
請求項３の考案は、請求項１記載のオートバイのフットボードカバーにおいて、透明板の周囲と防水バックカバーの内側の間に、軟質ゴムで構成された防水リングが介装されたことを特徴とする、オートバイのフットボードカバーとしている。
請求項４の考案は、請求項１記載のオートバイのフットボードカバーにおいて、透明板の底部と防水バックカバーの間にパターンカラー板が介装され、該パターンカラー板が特有のパターン或いは文字により印刷された薄板であり、並びに底部凹溝形状に対応し重畳されることを特徴とする、オートバイのフットボードカバーとしている。
請求項５の考案は、請求項１記載のオートバイのフットボードカバーにおいて、発光装置が冷陰極管等のストライプ状発光体とされたことを特徴とする、オートバイのフットボードカバーとしている。
【考案の効果】
【０００５】
本考案のオートバイのフットボードカバーは、表面処理した金属面板に発光装置が組み合わされてなり、オートバイ両側の長形フットボードの表面に取り付けられ、フットボードの保護と装飾機能を提供するフットボードカバーであり、オートバイ車体のフットボードの形状に符合するよう加圧加工された薄型金属板の表面に、滑り止めと装飾効果を有する凹凸状の模様が形成され、並びに適当な位置に穿孔が設けられ、並びに発光装置が嵌め付けられ、側投光の屈折を利用して特有の文字或いは図形を表示することができる。
【考案を実施するための最良の形態】
【０００６】
本考案は、金属フットボードカバーと発光装置で組成され、図２の立体図に示されるように、該金属フットボードカバー１０は、オートバイＡの両側のフットボードＡ１の辺縁形状及び折り曲げ形状に合わせて加圧加工され、並びに所定位置に結合孔１１が設けられ、該結合孔１１に通されたネジ１２により、該金属フットボードカバー１０がフットボードＡ１に固定される。このほか、金属フットボードカバー１０の平坦部分１４に、貫通孔１５が設けられ、一組の発光装置２０が嵌め付けられる。該発光装置２０はＬＥＤで一片の透明板の側辺部分より光を投射し、透明板底部の凹凸紋路の屈折により、発光するパターン或いは文字を発生するものとされる。
【実施例１】
【０００７】
図２、３に示されるように、本考案はオートバイのフットボードの外形と湾曲形状に対応するよう形成された金属フットボードカバー１０の表面に、車種の風格或いは流行に合わせて設計された各種形状の凹凸パターン１３が設けられ、並びに金属フットボードカバー１０の表面にパターンの凹凸により、シルバーフロストエリア１３と白光沢エリア１３２の表面処理がなされ、これにより装飾効果と滑り止め機能を具備するものとされる。図３の立体分解図に示されるように、発光装置２０は、透明板２１、１本のランプセット２２、電源線２３、パターンカラー板２４、及び防水バックカバー２５、防水リング２６等で構成される。該発光装置２０が貫通孔１５に嵌め込まれて該貫通孔１５が透明板２１で補填され、並びにオートバイの車用電源が接続、導通された後、透明板２１がランプセット２２の投光により、その特有の文字或いはパターンを表示する。
【０００８】
図４の発光装置の詳細な断面図に示されるように、該発光装置２０は上から下に、透明板２１にランプセット２２及びその電源線２３、パターンカラー板２４、防水バックカバー２５及び防水リング２６が結合されてなる。そのうち、透明板２１の周囲には厚さが薄いリム２１１が設けられ、透明板２１の底部に底部凹溝２１２で構成された特有のパターン或いは文字が設けられている。透明板２１の一側には凹溝２１３が形成されてストリップ状のランプセット２２が嵌め込まれ、該ランプセット２２は複数のＬＥＤ２２１が１本の基板２２２に組合わされてなり、電源線２３は基板より透明板２１外部に延伸され、透明板２１の底部と防水バックカバー２５の間に１片のパターンカラー板２４が介装され、該パターンカラー板２４は特有のパターン或いは文字により印刷された薄板とされ、並びに底部凹溝２１２の形状に対応し重畳される。透明板２１の四周と防水バックカバー２５の間に軟質ゴムの防水リング２６が設けられて外部の水分の進入を防止している。こうして組み合わされてなる発光装置２０は接着テープ或いはその他の粘着方式で金属フットボードカバー１０の底面の貫通孔１５の周囲に固定される。
【０００９】
該ランプセット２２のＬＥＤ２２１の発射する光は透明板２１の側辺より透明板２１内に投射され、透光率の良好な透明板２１内に投射された光は、内向きに突出し且つ表面が粗化された底部凹溝２１２に突き当たり、集められた光が外向きに屈折されて発光するパターン或いは文字を構成し、底部の対応するパターンカラー板２４が組み合わされて、発光し色彩を有するパターンが形成される。
【００１０】
本考案の発光装置はその他のストライプ状の発光体、例えば冷陰極線管等を使用することもできる。
【００１１】
本考案の防水リング２６は、透明板２１の周囲と防水バックカバー２５の間に圧迫され、防水の作用を達成するが、直接シリコン樹脂を塗布することで防水の機能を達成する形態も可能である。
【００１２】
総合すると、本考案は金属フットボードカバーにＬＥＤが組み合わされて発光効果を達成しており、個性的で精緻なオートバイのアクセサリを提供するものである。
【図面の簡単な説明】
【００１３】
【図１】周知の技術の取り付け表示図である。
【図２】本考案の取り付け表示図である。
【図３】本考案の立体分解図である。
【図４】局部断面図である。
【符号の説明】
【００１４】
１０  金属フットボードカバー        ２０  発光装置
１１  結合孔                        ２１  透明板
１２  ネジ                          ２２  ランプセット
１３  凹凸パターン                  ２３  電源線
１４  平坦部分                      ２４  パターンカラー板
１５  貫通孔                        ２５  防水バックカバー
１３１  シルバーフロストエリア      ２６  防水リング
１３２  白光沢エリア                ２１１  リム
２１２  底部凹溝                    ２１３  凹溝
２２１  ＬＥＤ                      ２２２  基板
【図１】
0003108944.tif 000003
【図２】
0003108944.tif 000004
【図３】
0003108944.tif 000005
【図４】
0003108944.tif 000006